【手続補正書】
【提出日】平成18年10月24日(2006.10.24)
【手続補正１】
【補正対象書類名】明細書
【補正対象項目名】特許請求の範囲
【補正方法】変更
【補正の内容】
【特許請求の範囲】
【請求項１】  Ｉ）スチレンとアクリロニトリルを重量比９０：１０〜５０
：５０で、平均粒子直径ｄ５０が２３０ｎｍ以下およびゲル含量が４０〜９
５重量％のブタジエンポリマーラテックス（Ａ）、平均粒子直径ｄ５０が２
５０〜３３０ｎｍおよびゲル含量が３５〜７５重量％のブタジエンポリマー
ラテックス（Ｂ）、および平均粒子直径ｄ５０が３５０ｎｍ以上およびゲル
含量が６０〜９０重量％のブタジエンポリマーラテックス（Ｃ）を含有する
混合物の存在下において乳化重合することによって得られるグラフトゴムポ
リマーであって、
スチレンおよび／またはアクリロニトリルは、α-メチルスチレン、メチル
メタクリレートまたはＮ-フェニルマレインイミドで全体的または部分的に
置換されていてよく、前記ブタジエンポリマーラテックスがそれぞれ、別の
ビニルモノマーを共重合された形態で０〜５０重量％含有し、そして用いら
れるグラフトモノマーと用いられるブタジエンポリマーとの質量比が１０：
９０〜６０：４０であるもの、
II）スチレンとアクリロニトリルを重量比９０：１０〜５０：５０でゴムの存在
下において溶液重合、バルク重合または懸濁重合することによって得られる
少なくとも１種のグラフトポリマーであって、
スチレンおよび／またはアクリロニトリルは、α-メチルスチレン、メチル
メタクリレートまたはＮ-フェニルマレインイミドで全体的または部分的に
置換されていてよく、前記ゴムが、別のビニルモノマーを共重合された形態
で０〜５０重量％含有し、そして用いられるグラフトモノマーと用いられる
ゴムとの質量比が５０：５０〜９７：３であるもの、および場合により、
III）スチレンとアクリロニトリルを重量比９０：１０〜５０：５０で含有
する少なくとも１種のゴムを含まないコポリマーであって、
スチレンおよび／またはアクリロニトリルが、α-メチルスチレン、メチル
メタクリレートまたはＮ-フェニルマレインイミドで全体的または部分的に
置換されていてよいもの
を含有するＡＢＳ成形用組成物。
【請求項２】  Ｉ）スチレンとアクリロニトリルを重量比９０：１０〜５０
：５０で、平均粒子直径ｄ５０が１５０〜２２０ｎｍおよびゲル含量が５０
〜９０重量％のブタジエンポリマーラテックス（Ａ）、平均粒子直径ｄ５０
が２６０〜３２０ｎｍおよびゲル含量が４０〜７０重量％のブタジエンポリ
マーラテックス（Ｂ）、および平均粒子直径ｄ５０が３７０〜４５０ｎｍお
よびゲル含量が６５〜８５重量％のブタジエンポリマーラテックス（Ｃ）を
含有する混合物の存在下において乳化重合することによって得られるグラフ
トゴムポリマーであって、
スチレンおよび／またはアクリロニトリルが、α-メチルスチレン、メチル
メタクリレートまたはＮ-フェニルマレインイミドで全体的または部分的に
置換されていてよく、前記ブタジエンポリマーラテックスがそれぞれ、別の
ビニルモノマーを共重合された形態で０〜５０重量％含有し、そして用いら
れるグラフトモノマーと用いられるブタジエンポリマーとの質量比が２０：
８０〜５０：５０であるもの、
II）スチレンとアクリロニトリルを重量比９０：１０〜５０：５０でゴムの
存在下において溶液重合、バルク重合または懸濁重合することによって得ら
れる少なくとも１種のグラフトポリマーであって、
スチレンおよび／またはアクリロニトリルは、α-メチルスチレン、メチル
メタクリレートまたはＮ-フェニルマレインイミドで全体的または部分的に
置換されていてよく、前記ゴムが、別のビニルモノマーを共重合された形態
で０〜５０重量％含有し、そして用いられるグラフトモノマーと用いられる
ゴムとの質量比が７０：３０〜９５：５であるもの、および場合により、
III）スチレンおよびアクリロニトリルを重量比９０：１０〜５０：５０で
含有する少なくとも１種のゴムを含まないコポリマーであって、
スチレンおよび／またはアクリロニトリルが、α-メチルスチレン、メチル
メタクリレートまたはＮ-フェニルマレインイミドで全体的または部分的に
置換されていてよいもの
を含有する請求項１記載のＡＢＳ成形用組成物。
【請求項３】  芳香族ポリカーボネート、芳香族ポリエステルカーボネート、ポリエステル、ポリアミド、またはそれらの混合物から選択される少なくとも１種の樹脂を更に含有する請求項１〜２のいずれかに記載の熱可塑性成形用組成物。
【請求項４】  成分Ｉ）、II）および場合によりIII）を混合して、高温で混合して押し出すことを含む、請求項１〜３のいずれかに記載の成形用組成物の製造方法。
【請求項５】  成形部品を製造するための請求項１〜３のいずれかに記載の熱可塑性成形用組成物の使用。
【請求項６】  請求項１〜４のいずれかに記載の成形用組成物から得られる成形部品。
【手続補正２】
【補正対象書類名】明細書
【補正対象項目名】０００７
【補正方法】変更
【補正の内容】
【０００７】
欧州特許出願公開第845497号公報には、バルク重合または懸濁重合によって得られるＡＢＳポリマーと、２種のゴム成分を用いて乳化重合により得られる特定のグラフトゴムを含有する混合物が開示されている。しかし、前記混合物から製造される成形用組成物の衝撃強さは、過激な応力を受ける成形部品の製造には不適当であることがある。
【手続補正３】
【補正対象書類名】明細書
【補正対象項目名】０００９
【補正方法】変更
【補正の内容】
【０００９】
本発明は、
Ｉ）スチレンとアクリロニトリルを重量比９０：１０〜５０：５０で、平均粒子直径ｄ５０が２３０ｎｍ以下、好ましくは１５０〜２２０ｎｍ、特に好ましくは１７０〜２１５ｎｍ、最も好ましくは１７５〜２００ｎｍ、およびゲル含量が４０〜９５重量％、好ましくは５０〜９０重量％、特に好ましくは６０〜８５重量％のブタジエンポリマーラテックス（Ａ）、平均粒子直径ｄ５０が２５０〜３３０ｎｍ、好ましくは２６０〜３２０ｎｍ、特に好ましくは２７０〜３１０ｎｍおよびゲル含量が３５〜７５重量％、好ましくは４０〜７０重量％、特に好ましくは４５〜６０重量％のブタジエンポリマーラテックス（Ｂ）、および平均粒子直径ｄ５０が３５０ｎｍ以上、好ましくは３７０〜４５０ｎｍ、特に好ましくは３７５〜４３０ｎｍ、最も好ましくは３８０〜４２５ｎｍおよびゲル含量が６０〜９０重量％、好ましくは６５〜８５重量％、特に好ましくは７０〜８０重量％のブタジエンポリマーラテックス（Ｃ）を含有する混合物の存在下において乳化重合することによって得られるグラフトゴムポリマーであって、スチレンおよび／またはアクリロニトリルは、α-メチルスチレン、メチルメタクリレートまたはＮ-フェニルマレインイミドで全体的または部分的に置換されていてよく、前記ブタジエンポリマーラテックスはそれぞれ、別のビニルモノマーを共重合された形態で０〜５０重量％含有し、そして用いられるグラフトモノマーと用いられるブタジエンポリマーとの質量比は１０：９０〜６０：４０、好ましくは２０：８０〜５０：５０、特に好ましくは２５：７５〜４５：５５であるもの、
II）スチレンとアクリロニトリルとの重量比９０：１０〜５０：５０でゴムの存在下において溶液重合、バルク重合または懸濁重合することによって得られる少なくとも１種のグラフトポリマーであって、スチレンおよび／またはアクリロニトリルは、α-メチルスチレン、メチルメタクリレートまたはＮ-フェニルマレインイミドで全体的または部分的に置換されていてよく、前記ゴムは、別のビニルモノマーを共重合された形態で０〜５０重量％含有し、そして用いられるグラフトモノマーと用いられるゴムとの質量比が５０：５０〜９７：３、好ましくは７０：３０〜９５：５であるもの、および場合により、
III）スチレンおよびアクリロニトリルを重量比９０：１０〜５０：５０で含有する少なくとも１種のゴムを含まないコポリマーであって、スチレンおよび／またはアクリロニトリルは、α-メチルスチレン、メチルメタクリレートまたはＮ-フェニルマレインイミドで全体的または部分的に置換されていてよいもの
を含有する、高い耐衝撃性を有するＡＢＳ成形用組成物を提供する。
【手続補正４】
【補正対象書類名】明細書
【補正対象項目名】００１０
【補正方法】変更
【補正の内容】
【００１０】
一般に、本発明の成形用組成物は、前記成分Ｉを、１〜５０重量部、好ましくは２.５〜４５重量部、特に好ましくは５〜４０重量部、前記成分IIを、５０〜９９重量部、好ましくは５５〜９７.５重量部、特に好ましくは６０〜９５重量部、前記組成IIIを、０〜１００重量部、好ましくは０〜８０重量部、特に好ましくは０〜６０重量部含有する。
【手続補正５】
【補正対象書類名】明細書
【補正対象項目名】００７３
【補正方法】変更
【補正の内容】
【００７３】
本発明の成形用組成物は、前記成分Ｉ）、II）およびIII）を従来使用されている混合装置（好ましくは、マルチロールミル、混合用押出機または内部ミキサー）で混合することによって製造される。
【手続補正６】
【補正対象書類名】明細書
【補正対象項目名】００８６
【補正方法】変更
【補正の内容】
【００８６】
成形用組成物
表１に示す配合量の上記ポリマー成分を、エチレンジアミンビスステアリルアミド２重量部およびシリコーン油０.１重量部と内部ミキサーで混合し、造粒した後、試験用バーと（表面評価用）平坦なシートに加工する。
【手続補正７】
【補正対象書類名】明細書
【補正対象項目名】００８９
【補正方法】変更
【補正の内容】
【００８９】
表    １成形用組成物の組成
【表１】
2002533513.tif 000001
【手続補正８】
【補正対象書類名】明細書
【補正対象項目名】００９０
【補正方法】変更
【補正の内容】
【００９０】
表    ２成形用組成物に関する試験結果
【表２】
2002533513.tif 000002